(57)【要約】【課題】巻取装置における駆動軸の危険回転数を大きくでき、その分だけ切断されたテープの巻取速度を高速化して、生産性を大幅に向上できるスリット装置を提供する。【解決手段】刃物部１１で切断された一群の狭幅ウェブＴを、ウェブ幅方向へ複数の狭幅ウェブグループＧ１・Ｇ２に分けて、各狭幅ウェブグループＧ１・Ｇ２ごとに分岐搬送路Ｒ１・Ｒ２と巻取装置４Ａ・４Ｂとを設ける。複数組の巻取装置４Ａ・４Ｂを狭幅ウェブ搬送方向の前後に分散配置して、各巻取装置４Ａ・４Ｂに設けられる駆動軸２６の軸長Ｌを、各狭幅ウェブグループＧ１・Ｇ２の全幅寸法ｂに対応する長さにまで短くする。駆動軸２６の軸長Ｌを短くすると駆動軸２６の危険回転数を大幅に大きくできるので、その分だけ狭幅ウェブＴの巻取速度を高速化できる。【選択図】図２
2006082920.tif 000002
【特許請求の範囲】
【請求項１】
一方向へ搬送される広幅のウェブ（Ｗ）を幅方向に切断して多数列の狭幅ウェブ（Ｔ）を形成する刃物部（１１）と、刃物部（１１）で切断された一群の狭幅ウェブ（Ｔ）を巻き取る巻取装置（４Ａ・４Ｂ）とを備えており、巻取装置（４Ａ・４Ｂ）は、回転駆動される駆動軸（２６）と、個々の狭幅ウェブ（Ｔ）に対応して駆動軸（２６）の軸心に沿って隣接配置される一群の巻取機構（２７）を含んで構成されており、一群の狭幅ウェブ（Ｔ）は、ウェブ幅方向へ複数の狭幅ウェブグループ（Ｇ１・Ｇ２）に分けられて、各狭幅ウェブグループ（Ｇ１・Ｇ２）に対応して設けた分岐搬送路（Ｒ１・Ｒ２）を介して複数組の巻取装置（４Ａ・４Ｂ）へ送給されており、複数組の巻取装置（４Ａ・４Ｂ）は、狭幅ウェブ搬送方向の前後ないし上下に分散配置されており、各巻取装置（４Ａ・４Ｂ）の駆動軸２６の軸長Ｌが、各狭幅ウェブグループ（Ｇ１・Ｇ２）の全幅寸法ｂに対応する長さに設定してあることを特徴とするスリット装置。
【請求項２】
複数組の巻取装置（４Ａ・４Ｂ）を狭幅ウェブ搬送方向の前後方向に分散配置して、各巻取装置（４）が同一平面上に設置してある請求項１記載のスリット装置。
【請求項３】
各分岐搬送路（Ｒ１・Ｒ２）において隣接する一群の狭幅ウェブ（Ｔ）が、各巻取装置（４Ａ・４Ｂ）より搬送方向上手側において複数列に分岐されており、
各巻取装置（４Ａ・４Ｂ）に、分岐列ごとに狭幅ウェブ群を巻き取る、複数組の駆動軸（２６）と巻取機構（２７）とが設けてある請求項１または２記載のスリット装置。
【発明の詳細な説明】
【技術分野】
【０００１】
本発明は、磁気テープに代表されるように、広幅のウェブを幅方向へ切断して所定幅の一群の狭幅ウェブを製造するためのスリット装置に関し、一群の狭幅ウェブの巻取装置を改良したものである。
【背景技術】
【０００２】
この種のスリット装置は、例えば特許文献１に公知である。そこでは、広幅の原反ロールから繰出したウェブを、スリッターで多数条に切断して所定幅の磁気テープとし、幅方向に隣接する一群の磁気テープを巻取装置で巻き取る。一群の磁気テープは奇数列と偶数列とに分けられ、上下に分岐する搬送路を経由して巻取装置で巻き取られる。巻取装置は、駆動軸と、その軸心に沿って隣接配置した巻取機構とを備えている。巻取機構は、軸心に沿って隣接配置した多数個のベアリングと、ベアリングの周面に外嵌装着されるスリーブと、ベアリングとスリーブとの間に配置されて、駆動軸の回転動力をスリーブに伝える磁力クラッチなどで構成してあり、スリーブの周面に装着したハブで磁気テープを巻き取る（特許文献２参照）。巻取機構は、磁力クラッチがスリップすることで、個々の磁気テープにおける張力のばらつきを吸収する。
【０００３】
本発明では、スリット装置で切断された後の狭幅ウェブの一群を、例えば前後にずらして配置した複数組の巻取装置で巻き取るが、このように幅の狭いウェブの搬送経路をいくつかに分け、各搬送経路の終端に設けた巻取装置で幅の狭いウェブを巻き取ることは公知である（特許文献３参照）。
【０００４】
上記の巻取装置は、上下一対のターレット軸と、上下のターレット軸に支持される左右一対ずつのターレットユニットとからなり、合計４個のターレットユニットを上下交互に（ジグザグに）配置している。ターレットユニットは、ターレット軸の回りに旋回操作されるフレームと、フレームの先端左右に装着されて、巻芯を両端から挟み支持するチャックと、片方のチャックを介して巻芯を回転駆動する駆動装置などで構成してある。巻芯はウェブの切断幅に対応して設けられており、例えば広幅のウェブを４条に切断する場合には、４個のターレットユニットごとに巻芯を軸支する。換言すると、広幅のウェブを１０条に切断する場合には、１０個のターレットユニットを用意することになる。
【０００５】
【特許文献１】特開平１０−３１２５３４号公報（段落番号００２２、図１）
【特許文献２】実公平７−４５４９０号公報（第３頁第５欄３９〜４３行、第１図）
【特許文献３】特許第２９８１６０６号公報（段落番号００１８、図２）
【発明の開示】
【発明が解決しようとする課題】
【０００６】
スリット装置の生産性を向上するには、ウェブの搬送速度、なかでも切断された狭幅ウェブの巻取速度を高速化するのが最も効果的である。しかし、現状のテープ巻取形態に従う限り、狭幅ウェブの巻取速度を高速化するのに物理的な制約と限界とがある。狭幅ウェブの巻取速度の高速化は、巻取装置の駆動軸が危険回転数に達しない範囲で実現する必要があるが、危険回転数を決定する駆動軸の変数要素を変更するのが難しいからである。因みに駆動軸の危険回転数は、次式で計算することができる。
Ｎｃ＝３０÷π×√Ｘ      但しＸ＝９８００ｇＥＩ÷Ｗｌ3 
Ｎｃ：危険回転数（ｒｐｍ）、ｇ：重力の加速度、Ｅ：駆動軸のヤング率、Ｉ：駆動軸断面２次モーメント、Ｗ：駆動軸の負荷重量、ｌ：駆動軸の軸長さ。
【０００７】
上記の計算式から理解できるように、駆動軸の危険回転数は、駆動軸の直径寸法、駆動軸に作用する負荷重量、駆動軸の軸長などに左右されるが、いずれも必要に応じて自由に変更できるわけではない。第１に、磁気テープ用の巻取装置としては、先に説明した特許文献２の巻取機構が広く普及し、なかば規格化されているため、駆動軸の直径寸法を現状より大きくはできず、そのため、断面２次モーメントを大きくできない。第２に、ハブに巻装される磁気テープ量を減らすことで、駆動軸に作用する負荷重量を減らして、危険回転数を増やすことは可能である。しかし、その場合には、磁気テープの巻量が少なくなるので、頻繁にハブを交換する必要があり、ハブ交換の手間と巻取速度を高速化した効果とが減殺され、スリット装置全体でみたときの生産性の向上はさほどでもない。
【０００８】
第３に、巻取装置は、スリット装置の刃物の位置で決まる磁気テープの搬送経路の延長線上に位置させる必要があるため、駆動軸の軸長を短くするのが難しい。先に説明したように、切断された磁気テープは、例えば奇数列の一群と、偶数列の一群とに分けて、幅方向に隣接する磁気テープどうしが巻き取り時に干渉しあうのを避けるが、このようにテープ群を複数のグループに分けたとしても、分けられたテープグループの合計幅寸法は、ウェブの全幅から磁気テープの２ないし３本分を差し引いた幅以下にしかならないため、ウェブの全幅に相当する軸長の駆動軸で一群の巻取機構を支持する必要がある。
【０００９】
因みに、特許文献３の巻取装置のように、切断後の幅狭のウェブに対応して複数個のターレットユニットを上下交互に配置すると、各ターレットユニットにおける巻芯の長さを短くできる。しかし、幅狭のウェブに対応してターレットユニットを用意し、ターレットユニットごとにチャックと駆動機構を設ける必要があるので、ウェブ切断幅の最小値に限界がある。つまり、巻芯の長さは必要に応じていくらでも短くできるが、フレームの左右に配置されるチャックおよび駆動装置は、例え小形化できたとしても、その占有スペースが最小限不可欠であり、そのため、切断後のウェブの幅寸法は、チャックおよび駆動装置の占有スペースで決まる最小寸法を越えて小さくすることはできない。例えば幅寸法が１ｍ強のウェブを８０本のテープとして切断する場合には、８０組のターレットユニットを用意する必要があるが、不可能でしかない。
【００１０】
本発明の目的は、簡単な構造で巻取装置の駆動軸の軸長を短くする技術を実現することで、駆動軸の危険回転数を大きくでき、その分だけ切断された狭幅ウェブの巻取速度を高速化して、生産性を大幅に向上できるスリット装置を提供することにある。
本発明の目的は、狭幅ウェブの高速巻き取りを常に安定した状態で行うことができる信頼性に優れたスリット装置を提供することにある。
【課題を解決するための手段】
【００１１】
本発明のスリット装置は、一方向へ搬送される広幅のウェブＷを幅方向に切断して多数列のテープ狭幅ウェブＴを形成するスリッター刃物部１１と、スリッター刃物部１１で切断された一群のテープ狭幅ウェブＴを巻き取る巻取装置４Ａ・４Ｂとを備えている。巻取装置４Ａ・４Ｂは、回転駆動される駆動軸２６と、個々のテープ狭幅ウェブＴに対応して駆動軸２６の軸心に沿って隣接配置される一群の巻取機構２７を含んで構成する。一群の狭幅ウェブＴは、ウェブ幅方向へ複数の狭幅ウェブグループＧ１・Ｇ２に分けられて、各狭幅ウェブグループＧ１・Ｇ２に対応して設けた分岐搬送路Ｒ１・Ｒ２を介して複数組の巻取装置４Ａ・４Ｂへ送給される。複数組の巻取装置４Ａ・４Ｂは、狭幅ウェブ搬送方向の前後ないし上下に分散配置する。各巻取装置４Ａ・４Ｂの駆動軸２６の軸長Ｌは、各狭幅ウェブグループＧ１・Ｇ２の全幅寸法ｂに対応する長さに設定してある。
【００１２】
複数組の巻取装置４Ａ・４Ｂを狭幅ウェブ搬送方向の前後方向に分散配置して、各巻取装置４Ａ・４Ｂを同一平面上に設置する。
【００１３】
各分岐搬送路Ｒ１・Ｒ２において隣接する一群の狭幅ウェブＴを、各巻取装置４Ａ・４Ｂより搬送方向上手側において複数列に分岐する。各巻取装置４Ａ・４Ｂに、分岐列ごとに狭幅ウェブ群を巻き取る複数組の駆動軸２６と巻取機構２７とを設ける。
【発明の効果】
【００１４】
本発明では、刃物部１１で切断された一群の狭幅ウェブＴを、ウェブ幅方向へ複数の狭幅ウェブグループＧ１・Ｇ２に分けて、各狭幅ウェブグループＧ１・Ｇ２ごとに分岐搬送路Ｒ１・Ｒ２と巻取装置４Ａ・４Ｂとを設けた。そのうえで、複数組の巻取装置４Ａ・４Ｂを狭幅ウェブ搬送方向の前後ないし上下に分散配置することにより、各巻取装置４Ａ・４Ｂに設けられる駆動軸２６の軸長Ｌを、各狭幅ウェブグループＧ１・Ｇ２の全幅寸法ｂに対応する長さに設定した。従って本発明のスリット装置によれば、従来の巻取装置に比べて、駆動軸２６の軸長Ｌを著しく短くして、駆動軸２６の危険回転数を大幅に大きくでき、その分だけ狭幅ウェブＴの巻取速度を高速化して、スリット装置の生産性を大幅に向上できる。駆動軸２６の軸長Ｌを短くして危険回転数を大きくするので、駆動軸２６の断面２次モーメントや、駆動軸２６の負荷重量を改善対象とする場合に比べて、危険回転数を効果的に向上できる利点もある。
【００１５】
複数組の巻取装置４Ａ・４Ｂを狭幅ウェブ搬送方向の前後方向に分散配置して、各巻取装置４Ａ・４Ｂを同一平面上に設置するスリット装置によれば、各巻取装置４Ａ・４Ｂの上下方向の寸法を小さくできるので、例えば、巻取装置４Ａ・４Ｂを上下多段状に配置する場合に比べて、狭幅ウェブＴを巻き取る際に振動が生じるのをよく防止でき、従って、狭幅ウェブＴの高速巻き取りを常に安定した状態で行うことができる信頼性に優れたスリット装置を得ることができる。
【００１６】
各分岐搬送路Ｒ１・Ｒ２において隣接する一群の狭幅ウェブＴを、各巻取装置４Ａ・４Ｂより搬送方向上手側において複数列に分岐して、分岐列ごとに狭幅ウェブ群を巻き取るようにすると、各分岐搬送路Ｒ１・Ｒ２において狭幅ウェブＴ同士が干渉し合うのを防止して、狭幅ウェブＴを整然と巻き取ることができる。
【発明を実施するための最良の形態】
【００１７】
（実施例）
図１ないし図５は本発明に係るスリット装置を磁気テープの製造過程に適用した実施例を示す。図１において、スリット装置は、広幅のウェブＷを繰出し供給する供給部１と、供給部１から送給されたウェブＷを幅方向へ切断する切断部２と、切断部２で切断された一群の磁気テープ（テープ）Ｔを巻き取る巻取部３などで構成する。
【００１８】
ウェブＷは、ベースフィルムの表面に磁性層を塗布形成し、裏面側にバックコート層を塗布形成した広幅のウェブからなり、ウェブＷが切断部２を通過する間に幅狭の磁気テープＴに切断される。符号ＣはウェブＷの両端の非製品部である。この実施例におけるウェブＷの全幅寸法は１０００ｍｍであり、磁気テープＴの幅寸法は１２．６５ｍｍである。得られた磁気テープＴは、コンピュータの外部記憶用テープカートリッジの記録媒体として適用される。なお、供給部１は従来装置と実質的に変りがないので、その説明を省略する。
【００１９】
切断部２は、ウェブＷを一方向へ搬送する搬送経路と、搬送経路の中途部に配置される刃物部１１と、ウェブＷの張力を調整する張力調整機構１２などで構成する。図１において、刃物部１１は、それぞれ回転駆動される回転刃１５と回転受刃１６とで構成してあり、ウェブＷは回転受刃１６の周面に巻掛けられた状態で刃物部１１を通過する。刃物部１１を通過した後の一群の磁気テープＴは、奇数列と偶数列とで上下方向へ２群に分けた状態で搬送する。
【００２０】
張力調整機構１２は、刃物部１１より前段側の経路の中途部に配置したテンションカットローラー２０と、刃物部１１より後段側の経路の中途部に配置したテンションコントロールローラー２１、およびウェブＷの張力を検知するテンション検出ローラー２２などで構成する。テンションカットローラー２０と、テンションコントロールローラー２１とは、協同してウェブＷを一定速度で搬送駆動し、刃物部１１を通過するウェブＷの張力を一定とすることにより、刃物部１１による磁気テープＴの切断精度を向上できる。
【００２１】
本発明では、上記のようなスリット装置において、図２に示すように、刃物部１１で切断された一群の磁気テープＴを、ウェブ幅方向の手前側と奥側とに２分して２個のテープグループＧ１・Ｇ２に分け、各テープグループＧ１・Ｇ２をそれぞれ第１、第２の両分岐搬送路Ｒ１・Ｒ２で搬送案内したのち、巻取部３の搬送方向前後に配置した巻取装置４Ａ・４Ｂで巻き取る。なお、本発明におけるウェブ搬送方向の前側とは、搬送方向上手側を意味する。
【００２２】
図３に示すように、各巻取装置４Ａ・４Ｂは、ベース上に立設される一対のフレーム２５と、両フレーム２５で軸支される上下一対の駆動軸２６と、駆動軸２６の軸心に沿って隣接配置される多数個の巻取機構２７と、磁気テープＴの側縁を移行案内してその巻き姿を整えるテープガイド板２８と、駆動軸２６を回転駆動するモーター２９などで構成する。巻取装置４Ａ・４Ｂのウェブ搬送方向上手側には、磁気テープＴを巻取機構２７に向かって変向案内する導入ローラー３０が上下一対ずつ配置してある（図４参照）。巻取機構２７は従来公知の機構と同じ構造であり、その周面に装着したハブ３１で磁気テープＴを巻き取る。テープガイド板２８は、上下揺動可能に支持してあり、その揺動先端（下端）側に複数個のガイドローラー３２が遊転自在に軸支してある。
【００２３】
第１・第２の両分岐搬送路Ｒ１・Ｒ２は、前後の巻取装置４Ａ・４Ｂの上方に配置した上下一対の前段ガイドローラー３３・３４、および上下一対の後段ガイドローラー３５・３６と、各巻取装置４Ａ・４Ｂの近傍に設けた導入ローラー３０・３０とで構成してあり、前側の巻取装置４Ａより上側を迂回するように第２分岐搬送路Ｒ２を配置して、前段ガイドローラー３３・３４で両搬送路Ｒ１・Ｒ２を分岐する。
【００２４】
先に説明したように、刃物部１１を出た直後の一群の磁気テープＴは、奇数列と偶数列とで上下に分けられるが、奇数列のテープ群を上側の前段ガイドローラー３３で案内し、偶数列のテープ群を下側の前段ガイドローラー３４で案内して、上下の前段ガイドローラー３３・３４でテープ群を手前側のテープグループＧ１と、奥側のテープグループＧ２とに分岐する。図２に示すように、奇数列のテープグループＧ１を搬送案内する第１分岐搬送路Ｒ１は、上側の前段ガイドローラー３３と、上側の導入ローラー３０とで構成する。奇数列のテープグループＧ２を搬送案内する第２分岐搬送路Ｒ２は、上側の前段ガイドローラー３３と、上側の後段ガイドローラー３５と、後側の巻取装置４Ｂの近傍に設けた上側の導入ローラー３０とで構成する。
【００２５】
同様に、偶数列のテープグループＧ１を搬送案内する第１分岐搬送路Ｒ１は、下側の前段ガイドローラー３４と、下側の導入ローラー３０とで構成する。また、偶数列のテープグループＧ２を搬送案内する第２分岐搬送路Ｒ２は、下側の前段ガイドローラー３４と、下側の後段ガイドローラー３６と、後側の巻取装置４Ｂの近傍に設けた下側の導入ローラー３０とで構成する。このように、各分岐搬送路Ｒ１・Ｒ２において隣接する一群の磁気テープＴを、各巻取装置４より搬送方向上手側においてガイドローラー３３，３４で複数列に分岐すると、各分岐搬送路Ｒ１・Ｒ２において磁気テープＴ同士が干渉し合うのを防止して、磁気テープＴを整然と巻き取ることができる。
【００２６】
以上のように構成したスリット装置によれば、前後に分散配置した巻取装置４Ａ・４Ｂで、上下、およびウェブ幅方向に２分された合計４個のテープグループＧ１・Ｇ２を個別に巻き取るので、各巻取装置４Ａ・４Ｂにおける駆動軸２６の軸方向長さＬを短くできる。具体的には図５に示すように、駆動軸２６の軸方向長さＬを、各テープグループＧ１・Ｇ２の全幅寸法ｂを基準にして、これに必要な余裕寸法を加えた長さにまで短くできる。これにより、駆動軸２６の危険回転数を向上し、その分だけ磁気テープＴの巻取速度を高速化できる。なお、各テープグループＧ１・Ｇ２の全幅寸法ｂは、非製品部Ｃを除くウェブＷの概ね半分になる。
【００２７】
上記の実施例では、刃物部１１を通過した直後のテープ群を奇数列と偶数列とに分けたがその必要はなく、例えば、図６に示すように前段ガイドローラー３３で、手前側のテープグループＧ１と奥側のテープグループＧ２とに分岐することができる。この場合には、１個の前段ガイドローラー３３でテープ群を搬送案内するので、後段ガイドローラー３５も１個あればよい。他は先の実施例と同じであるので、同じ部材に同じ符号を付して、その説明を省略する。以下の実施例においても同様に扱う。
【００２８】
図７は巻取装置４Ａ・４Ｂのさらに別の実施例を示す。そこでは、後段の巻取装置４Ｂを、前段の巻取装置４Ａより上方に配置し、第１分岐搬送路Ｒ１と第２分岐搬送路Ｒ２とを、分岐ガイドローラー３９で分岐するようにした。これに伴い、第１分岐搬送路Ｒ１は、前段ガイドローラー３３・３４と導入ローラー３０とで構成し、第２分岐搬送路Ｒ２は、前段ガイドローラー３３ａ・３４ａと後段ガイドローラー３５・３６と導入ローラー３０とで構成した。この実施例から理解できるように、巻取装置４Ａ・４Ｂは上下に分散配置することができる。
【００２９】
上記の実施例以外に、巻取装置４Ａ・４Ｂに２個の駆動軸２６を備えたターレットユニットを組込んで、各駆動軸２６を旋回しながら磁気テープＴを巻き取ることができる。テープグループは、必要に応じて２以上のグループに分けることができる。本発明のスリット装置は、磁気テープの製造以外に、広幅のウェブＷを切断して幅狭のテープを製造するために広く適用できる。
【図面の簡単な説明】
【００３０】
【図１】スリット装置を概念的に示す側面図である。
【図２】巻取装置のテープ搬送経路を示す斜視図である。
【図３】巻取装置の斜視図である。
【図４】図５におけるＡ−Ａ線断面図である。
【図５】テープグループと駆動軸の関係を概念的に示す平面図である。
【図６】別の実施例に係る巻取装置の側面図である。
【図７】さらに別の実施例に係る巻取装置の側面図である。
【符号の説明】
【００３１】
Ｗ  広幅のウェブ
Ｔ  狭幅ウェブ
Ｇ１・Ｇ２  狭幅ウェブグループ
Ｒ１・Ｒ２  分岐搬送路
Ｌ  駆動軸の軸長
ｂ  狭幅ウェブグループの全幅寸法
４（４Ａ・４Ｂ）  巻取装置
１１  刃物部
２６  駆動軸
２７  巻取機構
【図１】
2006082920.tif 000003
【図２】
2006082920.tif 000004
【図３】
2006082920.tif 000005
【図４】
2006082920.tif 000006
【図５】
2006082920.tif 000007
【図６】
2006082920.tif 000008
【図７】
2006082920.tif 000009